(57)【要約】【課題】塗布剤が基材の両端側で肉厚にならず基材全体に均一厚に塗布され、また溝が目詰まりを起しにくく、溝の清掃、メンテナンスが容易である。【解決手段】回転軸2の外周にロール3を有する塗布ロール1において、ロール3の外周面の周方向に、塗布剤30をガイドする螺旋状ガイド溝4が設けられ、螺旋状ガイド溝4の溝深さDは、ロール長手方向の両端側4ａがそれより内側4ｂ部分よりも浅く、螺旋状ガイド溝4の溝ピッチPは、ロール長手方向の両端側4ａがそれより内側4ｂ部分よりも小さく形成されてなる。【選択図】図2
2007111658.tif 000002
【特許請求の範囲】
【請求項１】
回転軸の外周にロールを有する塗布ロールにおいて、
前記ロールの外周面の周方向に、塗布剤をガイドする螺旋状ガイド溝が設けられ、
前記螺旋状ガイド溝の溝深さは、ロール長手方向の両端側がそれより内側部分よりも浅く、
前記螺旋状ガイド溝の溝ピッチは、ロール長手方向の両端側がそれより内側部分よりも小さく、
形成されてなることを特徴とする塗布ロール。
【請求項２】
前記螺旋状ガイド溝の溝深さは、ロール長手方向の両端側がそれより内側部分よりも次第に浅く、
形成されてなることを特徴とする請求項1に記載の塗布ロール。
【請求項３】
前記螺旋状ガイド溝の溝ピッチは、ロール長手方向の両端側がそれより内側部分よりも次第に小さく、
形成されてなることを特徴とする請求項1に記載の塗布ロール。
【請求項４】
前記螺旋状ガイド溝の溝深さは、ロール長手方向の両端側がそれより内側部分よりも次第に浅く、
前記螺旋状ガイド溝の溝ピッチは、ロール長手方向の両端側がそれより内側部分よりも次第に小さく、
形成されてなることを特徴とする請求項1に記載の塗布ロール。
【請求項５】
前記螺旋状ガイド溝の溝深さが浅く、前記螺旋状ガイド溝の溝ピッチが小さく形成されるロール長手方向の両端側は、ロール端面より略130ｍｍの範囲であることを特徴とする請求項1乃至請求項4のいずれか1項に記載の塗布ロール。
【発明の詳細な説明】
【技術分野】
【０００１】
この発明は、例えばプリント基板、ガラス基板等の基材に樹脂、インク等の塗布剤を塗布する際に使用する塗布ロールに関するものである。
【背景技術】
【０００２】
従来、ガイド溝を有する塗布ロールに供給機から塗布剤を供給し、塗布ロールを回転させながら基材に押当させて塗布剤を塗布していた。この塗布ロールとして、例えば長手方向の両端側のガイド溝を独立したリング状溝とし、その内側のものを螺旋状溝としたものが知られている(特許文献1)。
【特許文献１】特開平11−262709号公報
【発明の開示】
【発明が解決しようとする課題】
【０００３】
ところで、この特許文献1において提案される塗布ロールは、ロール長手方向の両端側のガイド溝を独立したリング状溝とし、その内側のものを螺旋状溝とする構造であり、螺旋状溝でガイドされる塗布剤がリング状溝でせき止められるようになる。
【０００４】
このように、螺旋状溝からリング状溝に形状が変化するため塗布剤がせき止められ、この塗布剤によって基材の両端側で肉厚になる。また、塗布剤がせき止められるため、溝が目詰まりを起し、溝の清掃、メンテナンスを容易に行うことができないなどの問題があった。
【０００５】
そこで、この発明は、以上のような従来の問題点を解決するためになされたもので、塗布剤が基材の両端側で肉厚にならず基材全体に均一厚に塗布され、また溝が目詰まりを起しにくく、溝の清掃、メンテナンスが容易な塗布ロールを提供することを目的としている。
【課題を解決するための手段】
【０００６】
前記課題を解決し、かつ目的を達成するために、この発明は、以下のように構成されている。
【０００７】
請求項１に記載の発明は、回転軸の外周にロールを有する塗布ロールにおいて、
前記ロールの外周面の周方向に、塗布剤をガイドする螺旋状ガイド溝が設けられ、
前記螺旋状ガイド溝の溝深さは、ロール長手方向の両端側がそれより内側部分よりも浅く、
前記螺旋状ガイド溝の溝ピッチは、ロール長手方向の両端側がそれより内側部分よりも小さく、
形成されてなることを特徴とする塗布ロールである。
【０００８】
請求項2に記載の発明は、
前記螺旋状ガイド溝の溝深さは、ロール長手方向の両端側がそれより内側部分よりも次第に浅く、
形成されてなることを特徴とする請求項1に記載の塗布ロールである。
請求項3に記載の発明は、
前記螺旋状ガイド溝の溝ピッチは、ロール長手方向の両端側がそれより内側部分よりも次第に小さく、
形成されてなることを特徴とする請求項1に記載の塗布ロールである。請求項4に記載の発明は、
前記螺旋状ガイド溝の溝深さは、ロール長手方向の両端側がそれより内側部分よりも次第に浅く、
前記螺旋状ガイド溝の溝ピッチは、ロール長手方向の両端側がそれより内側部分よりも次第に小さく、
形成されてなることを特徴とする請求項1に記載の塗布ロールである。
【０００９】
請求項5に記載の発明は、
前記螺旋状ガイド溝の溝深さが浅く、前記螺旋状ガイド溝の溝ピッチが小さく形成されるロール長手方向の両端側は、端面より略130ｍｍの範囲であることを特徴とする請求項1乃至請求項4のいずれか1項に記載の塗布ロールである。
【発明の効果】
【００１０】
前記構成により、この発明は、以下のような効果を有する。
【００１１】
請求項１に記載の発明では、塗布剤を基材に塗布する際に塗布剤が螺旋状ガイド溝でガイドされ、溝深さは、ロール長手方向の両端側がそれより内側部分よりも浅く、溝ピッチは、両端側がそれより内側部分よりも小さく形成され、ロール全体が螺旋状ガイド溝であることから、両端側に寄せられる塗布剤の移動量が円滑に少なくなる。したがって、塗布剤を基材の幅方向全体に均一厚に塗布することができる。また、塗布剤が基材の横に溢れにくくなり、基材の側面や塗布装置の周囲が汚れにくくなる。
【００１２】
また、ロール全体が螺旋状ガイド溝であり、両端側に寄せられる塗布剤の移動量が円滑に少なくなり、塗布剤の流れが阻害されにくくなるため、螺旋状ガイド溝が目詰まりを起しにくく、溝の清掃、メンテナンスが容易である。
【００１３】
請求項2に記載の発明では、螺旋状ガイド溝の溝深さは、ロール長手方向の両端側がそれより内側部分よりも次第に浅く形成され、両端側に寄せられる塗布剤の移動量がより円滑に少なくなり、塗布剤の流れが阻害されにくくなる。
【００１４】
請求項3に記載の発明では、螺旋状ガイド溝の溝ピッチは、ロールの長手方向の両端側がそれより内側部分よりも次第に小さく形成され、両端側に寄せられる塗布剤の移動量がより円滑に少なくなり、塗布剤の流れが阻害されにくくなる。
【００１５】
請求項4に記載の発明では、螺旋状ガイド溝の溝深さは、ロールの長手方向の両端側がそれより内側部分よりも次第に浅く、溝ピッチは、ロールの長手方向の両端側がそれより内側部分よりも次第に小さく形成され、両端側に寄せられる塗布剤の移動量がより円滑に少なくなり、塗布剤の流れが阻害されにくくなる。
【００１６】
請求項5に記載の発明では、螺旋状ガイド溝の溝深さが浅く、溝ピッチが小さく形成されるロール長手方向の両端側は、端面より略130ｍｍの範囲であり、両端側に寄せられる塗布剤の移動量がより円滑に少なくなり、塗布剤の塗布厚が他の箇所の塗布厚よりも肉厚になることを防止でき、塗布剤を基材の幅方向全体に均一厚に塗布することができる。
【発明を実施するための最良の形態】
【００１７】
以下、この発明の塗布ロールの実施の形態について説明するが、この発明の実施の形態は、発明の最も好ましい形態を示すものであり、この発明はこれに限定されない。
【００１８】
この発明の実施形態を、図1乃至図3に基づいて詳細に説明する。図1は塗布ロールの側面図、図2は塗布ロールの一部の縦断面図、図3は螺旋状ガイド溝の断面図である。            
【００１９】
この塗布ロール1は回転軸2の外周にロール3が形成され、そのロール3の外周面の周方向に沿って、そのロール長手方向に、塗布剤をガイドする螺旋状ガイド溝4が形成されている。螺旋状ガイド溝4は、１本で形成しても、複数本で形成してもよい。回転軸2の一方側にはギヤ5が設けられ、このギヤ5は塗布装置の駆動ギヤに噛み合い塗布ロール1を回転する。
【００２０】
螺旋状ガイド溝4の溝深さは、ロール長手方向の両端側4ａが、それより内側4ｂよりも浅く形成されている。螺旋状ガイド溝4の溝深さＤは用途、塗布剤の粘性等に合せて任意に選択可能であるが、例えば300μｍ〜600μｍ程度にすることができる。螺旋状ガイド溝4の溝深さＤは全長を均一にするのではなく、図2に示すようにロール長手方向の両端側4ａ、例えばロール長手方向の両端面から130ｍｍ程度の部分の溝深さを、それより内側4ｂ部分の溝深さよりも浅くしてある。この場合は、図2(ａ)に示すようにロール長手方向の両端側4ａの螺旋状ガイド溝4の溝深さＤを、均一の深さで浅くすることも、図2(ｂ)に示すように内側から外側に次第に浅くなるようにすることもできる。
【００２１】
螺旋状ガイド溝4の溝ピッチＰは、ロール長手方向の両端側4ａが、それより内側4ｂよりも小さく形成されている。螺旋状ガイド溝4の溝ピッチＰは用途、塗布剤の粘性等に合せて任意に選択可能であるが、例えば600μｍ〜1100μｍ程度にすることができる。螺旋状ガイド溝4の溝ピッチＰは全長を均一にするのではなく、図2に示すようにロール長手方向の両端側4ａ、例えばロール長手方向の両端面から130ｍｍ程度の部分の溝ピッチを、それより内側4ｂ部分の溝ピッチよりも小さくしてある。この場合は、図2(ａ)に示すようにロール長手方向の両端側の螺旋状ガイド溝4の溝ピッチＰを、均一で小さくすることも、図2(ｂ)に示すように内側から外側に次第に小さくなるようにすることもできる。
【００２２】
螺旋状ガイド溝4の形状は、図3（ａ）に示す断面形状Ｖ字型とか、図3（ｂ）に示す断面形状Ｕ字型とか、図3（ｃ）に示す断面形状台形でも良い。
【００２３】
回転軸2には鉄などの金属製とか、塩化ビニールのような硬質樹脂製のパイプ等が使用される。形状は角棒、角パイプ、丸棒、丸パイプ、その他の形状いずれでも良い。
【００２４】
ロール3の材質は特に限定されないが、ゴム系のものが望ましく、例えばウレタンゴム、ＥＰＤＭ（エチレン−プロピレン−ジエン三元共重合体）、ブチルゴム（ＩＩＲ）、ＥＰＭ（エチレン−プロピレンゴム）、ニトリルゴム（ＮＢＲ）等の合成ゴムを使用することができる。ロール3の成形方法としては各種方法が考えられる。その1つとしては、内面に剥型剤が塗布された円筒状の成形型内に回転軸2を差し込んで、成形型内の回転軸2の外周にロール3を形成する。成形型を利用することにより数10ｃｍ〜数ｍもの長さのロール3を容易に形成することができる。ロール3の外周面は回転軸2の軸を中心として真円形とするのが望ましく、真円形とすることにより塗布剤を基材に均一に塗布することができる。他の例としては、ロール3を回転軸2とは別体に成形し、その中心孔に回転軸2を差し込んで接着しても良い。
【００２５】
この発明の塗布ロール1を使用するには、例えば以下のようにする。
【００２６】
図4及び図5に示すように、塗布ロール1のロール3の上方に設けられた供給機１０からロール3に樹脂、インク等の塗布剤30を供給する。それと同時に、ロール3を基材１１の塗布面に押当させながら回転させて基材１１の表面或は裏面に塗布剤30を塗布する。
【００２７】
このように、塗布剤30を基材11に塗布する際に、螺旋状ガイド溝4でガイドされ、螺旋状ガイド溝4の溝深さＤは、ロール長手方向の両端側4ａがそれより内側4ｂ部分よりも浅く、溝ピッチＰは、両端側4ａがそれより内側4ｂ部分よりも小さく形成され、ロール全体が螺旋状ガイド溝4であることから、両端側4ａに寄せられる塗布剤30の移動量が円滑に少なくなる。したがって、図５に示すように塗布剤30を基材11の幅方向全体に均一厚に塗布することができる。また、塗布剤30が基材11の横に溢れにくくなり、基材11の側面や塗布装置の周囲が汚れにくくなる。
【００２８】
また、ロール全体が螺旋状ガイド溝4であり、両端側4ａに寄せられる塗布剤30の移動量が円滑に少なくなり、塗布剤の流れが阻害されにくくなるため、螺旋状ガイド溝4が目詰まりを起しにくく、溝の清掃、メンテナンスが容易である。
［実施例］
この発明の実施例として、塗布ロールは、ロール面長が494.0ｍｍで、回転軸が鉄心、螺旋状ガイド溝がＶ螺旋のものを用いて塗布剤を基材に塗布した。ロールの外径、硬度、溝ピッチ、溝深さ、溝角度は、表1に示す。表1の測定位置と溝深さの関係は、図6に示す。
【００２９】
表1
2007111658.tif 000003
【００３０】
螺旋状ガイド溝の溝深さは、表2に示すように、ロールの長手方向の両端側がそれより内側部分よりも次第に浅く、溝ピッチは、ロールの長手方向の両端側がそれより内側部分よりも次第に小さく形成されている。
【００３１】
表2  
2007111658.tif 000004
【００３２】
この実施例では、螺旋状ガイド溝の溝深さが浅く、溝ピッチが小さく形成されるロール長手方向の両端側は、端面より略130ｍｍの範囲であり、両端側に寄せられる塗布剤の移動量がより円滑に少なくなり、塗布剤の塗布厚が他の箇所の塗布厚よりも肉厚になることを防止でき、塗布剤を基材の幅方向全体に均一厚に塗布することができた。
【産業上の利用可能性】
【００３３】
この発明は、例えばプリント基板、ガラス基板等の基材に樹脂、インク等の塗布剤を塗布する際に使用する塗布ロールに適用でき、塗布剤が基材の両端側で肉厚にならず基材全体に均一厚に塗布され、また溝が目詰まりを起しにくく、溝の清掃、メンテナンスが容易である。
【図面の簡単な説明】
【００３４】
【図１】塗布ロールの側面図である。
【図２】塗布ロールの一部の縦断面図である。
【図３】螺旋状ガイド溝の断面図である。
【図４】塗布ロールの使用状態を示す図である。
【図５】塗布剤を基材に塗布した状態を示す断面図である。
【図６】測定位置と溝深さの関係を示す図である。
【符号の説明】
【００３５】
1  塗布ロール
2  回転軸
3  ロール
4  螺旋状ガイド溝
4ａ  ロール長手方向の両端側
4ｂ  ロール長手方向の内側
【図１】
2007111658.tif 000005
【図２】
2007111658.tif 000006
【図３】
2007111658.tif 000007
【図４】
2007111658.tif 000008
【図５】
2007111658.tif 000009
【図６】
2007111658.tif 000010